(57)【要約】【課題】年表カレンダーにおいて、貼着面に繰り返し貼着、剥離可能であるとともに、年表カレンダー表示シートに本年の年表と翌年の年表が表示された年表カレンダーを提供。【解決手段】年表カレンダー５，６を表示した年表カレンダー表示シート２が年表カレンダー表示シート収納袋３に収納された年表カレンダー１において、年表カレンダー表示シート２は、表面に本年の年表カレンダー５が表示され、裏面に翌年の年表カレンダー６が表示されており、年表カレンダー表示シート収納袋３は、正面のシート７と背面のシート８で形成され、両シート７，８の上部に両シート７，８の間に年表カレンダー表示シート２を出し入れする開口４が形成されており、正面のシート７は収納されている年表カレンダー表示シート２の年表カレンダー５，６を視認できる透明シートで形成され、背面のシート８には貼着面に繰り返し貼着剥離可能な貼着剥離層が設けられている。【選択図】図１
0003216695.tif 000002
【実用新案登録請求の範囲】
【請求項１】
年表カレンダーが表示された１枚の年表カレンダー表示シートが、年表カレンダー表示シート収納袋に収納された年表カレンダーにおいて、
前記年表カレンダー表示シートは、表面に本年の年表カレンダーが表示されるとともに、裏面に翌年の年表カレンダーが表示されており、
前記年表カレンダー表示シート収納袋は、正面のシートと背面のシートで形成されるとともに、両シートの上部には両シートの間に前記年表カレンダー表示シートを出し入れする開口が形成されており、
前記正面のシートは、収納されている前記年表カレンダー表示シートの前記年表カレンダーを視認できる透明シートで形成され、背面のシートは、貼着面に繰り返し貼着剥離可能な貼着剥離層が設けられていることを特徴とする年表カレンダー。
【考案の詳細な説明】
【技術分野】
【０００１】
本考案は、1枚のシートの表面に本年の年表カレンダーが表示されるとともに、裏面に翌年の年表カレンダーが表示された年表カレンダー表示シートが、貼着面に繰り返し貼着剥離可能な貼着剥離層が設けられている透明袋に収納されている年表カレンダーに関する。
【背景技術】
【０００２】
カレンダーには、日めくりカレンダー、月めくりカレンダー、年表カレンダーなど種々カレンダーが使用されている。年表カレンダーでは、年表カレンダー表示シートに１月から１２月までの１年の年表カレンダーが表示されている（特許文献１参照）。
【０００３】
また、年表カレンダーには、本年の年表カレンダーだけでなく翌年の年表カレンダーも見ることができるようにしたカレンダーとして、壁掛け兼用卓上カレンダーが提案されている〈特許文献２参照〉。前記特許文献２に記載されたカレンダーは、カレンダー表示シートの表面に本年分の年表と翌年分の年表カレンダーが上下に表示され、折り曲げて起立させて卓上カレンダーとして使用できるだけでなく、平にして支持部に画鋲、フック、ねじ等を通すことにより吊り下げ状態にして、壁掛けカレンダーとしても使用できるというものである。
【０００４】
前記特許文献２に記載された壁掛け兼用卓上カレンダーは、卓上カレンダーとして使用する場合は、置き場所が卓上など水平な場所に制限され、また、壁掛けカレンダーとして使用する場合には、カレンダーを吊り下げるためにカレンダーの吊り下げ用孔に通すフック、ねじ等が必要であるだけでなく、壁掛けカレンダーを吊り下げたい箇所が硬い壁やガラスなどではピンを刺すことができなかったり、逆に柔らかい障子などではピンを保持したりあるいはフックを設けることができなかったりするため、吊り下げ箇所が制限されていた。
【０００５】
本出願人は、壁掛けカレンダーが設置できない壁、硝子、扉、冷蔵庫などの平滑な貼着面でも繰り返し貼着、剥離可能なカレンダーを提案した（特許文献３，４参照）。前記特許文献３，４に記載されたカレンダーは、下シートの裏側面に貼着面に繰り返し貼着剥離可能な貼着剥離層が設けられているカレンダーである。
【先行技術文献】
【特許文献】
【０００６】
【特許文献１】特開２００４−１８８８７０号公報
【特許文献２】実用新案登録第３１５５０７３号公報
【特許文献３】特開２０１５−１３１３９６号公報
【特許文献４】実用新案登録第３１８５１４５号公報
【考案の概要】
【考案が解決しようとする課題】
【０００７】
前記特許文献３に記載されたカレンダーは、平滑な面に繰り返し貼着、剥離可能であるため、卓上カレンダーや壁掛けカレンダーに比べて設置場所の制約は少ないが、シートの表面のカレンダー印刷面には本年の年表カレンダーを表示することはできるが、シートの裏面は貼着剥離層が設けられているので翌年の年表カレンダーを表示することはできないという欠点がある。
【０００８】
そこで、本考案は、年表カレンダーにおいて、貼着面に繰り返し貼着、剥離可能であるとともに、年表カレンダー表示シートに本年の年表カレンダーと翌年の年表カレンダーが表示できて２年の年表カレンダーを見ることが可能となる年表カレンダーを提供するものである。
【課題を解決するための手段】
【０００９】
本考案は、年表カレンダーが表示された1枚の年表カレンダー表示シートが、年表カレンダー表示シート収納袋に収納された年表カレンダーにおいて、前記年表カレンダー表示シートは、表面に本年の年表カレンダーが表示されるとともに、裏面に翌年の年表カレンダーが表示されており、前記年表カレンダー表示シート収納袋は、正面のシートと背面のシートで形成されるとともに、両シートの上部には両シートの間に前記年表カレンダー表示シートを出し入れする開口が形成されており、前記正面のシートは、収納されている前記年表カレンダー表示シートの前記年表カレンダーを視認できる透明シートで形成され、背面のシートは、貼着面に繰り返し貼着剥離可能な貼着剥離層が設けられていることを特徴とする年表カレンダーである。
【考案の効果】
【００１０】
本考案の年表カレンダーは、年表カレンダー表示シートの表面に本年の年表カレンダーが表示され、裏面に翌年の年表カレンダーが表示されているため、年表カレンダー表示シートを年表カレンダー表示シート収納袋から取り出すことにより翌年の年表カレンダーを見ることができるので、それにより翌年の計画を立てたり、検討したりするなどの際に利用することができる。
【００１１】
また、本考案は、年表カレンダー表示シートを取り出し、裏返して再び年表カレンダー表示シート収納袋に収納させることにより翌年も使用できるため、翌年の年表カレンダーを新たに用意する必要がないので手間が省ける。
【００１２】
本考案は、貼着剥離層により、ガラス、金属、木材、タイル、陶磁器、樹脂、紙などの平滑な表面に繰り返し貼着剥離できるので、机まわり、壁、冷蔵庫、ノート等の身近な箇所に貼ることができるので、年表カレンダーを容易に見ることができる。
【図面の簡単な説明】
【００１３】
【図１】本考案の年表カレンダーの斜視図である。
【図２】本考案の年表カレンダーの年表カレンダー表示シートを示し、（ａ）は表面に表示された本年の年表カレンダー、（ｂ）は年表カレンダーの裏面に表示された翌年の年表カレンダーを示す図である。
【図３】本考案の年表カレンダー表示シート収納袋を示し、（ａ）は正面のシート、（ｂ）は背面のシートを示す図である。
【図４】本考案の年表カレンダーの年表カレンダー表示シート収納袋の貼着剥離層の断面図である。
【図５】本考案の年表カレンダーの使用状態を示す図である。
【考案を実施するための形態】
【００１４】
本考案の実施例について図面を参照しながら説明する。
【実施例１】
【００１５】
図１において、本考案の年表カレンダー１は、年表カレンダー表示シート２とこの年表カレンダー表示シート２を収納する年表カレンダー表示シート収納袋３からなる。年表カレンダー表示シート２は、年表カレンダー表示シート収納袋３の上部の開口４から出し入れされる。
【００１６】
図１、図２において、年表カレンダー表示シート２は、年表カレンダーが印刷可能な紙や樹脂シートからなり、年表カレンダー表示シート２の表面には、図２（ａ）に示すように本年の１月から１２月の年表カレンダー５が表示され、年表カレンダー表示シート２の裏面には、図２（ａ）に示すように翌年の年表カレンダー６が表示されている。
【００１７】
図１、図３において、年表カレンダー表示シート収納袋３は、上側の正面のシート７と、下側の背面のシート８を重ねて袋状に形成され、上部は、年表カレンダー表示シート２を出し入れする開口４が形成されている。正面のシート７は収納されている年表カレンダー表示シート２の年表カレンダー５又は６を視認できる透明シートで形成され、背面のシート８には貼着面に繰り返し貼着剥離可能な貼着剥離層９が設けられている。
【００１８】
図４に示すように、貼着剥離層９は、背面のシートに貼着するための強粘着糊層１０（例えば、リンテック（株）製「ＰＷ糊」）に表面に仕切りシート１１を介して再剥離糊層１２（例えば、リンテック（株）製「リピール」）が積層されている。再剥離糊層１２には剥離シート１３が積層されており、剥離シート１３は、貼着時にめくって剥離して除き、再剥離糊層１２を露出させる。
【００１９】
図３の実施例では、貼着剥離層９を背面側の全面に設けているが、例えば、帯状に間隔をおいて形成したり、枠状に形成したりしてもよく、貼着剥離層９の配置および大きさは適宜選択できる。
【００２０】
本考案の年表カレンダーは、年表カレンダー表示シート２を年表カレンダー表示シート収納袋３の開口４から挿入して収納した後、剥離シート１３を剥がし、図５に示すように、壁、家具、ふすまなど適宜の貼着面に貼着して掲示することができる。そして、貼着位置を変えたりして繰り返し貼着剥離できるとともに、貼着面を再剥離粘着糊で汚すこともない。
【符号の説明】
【００２１】
１：年表カレンダー
２：年表カレンダー表示シート
３：年表カレンダー表示シート収納袋
４：開口
５：本年の年表カレンダー
６：翌年の年表カレンダー
７：正面のシート
８：背面のシート
９：貼着剥離層
１０：強粘着糊層
１１：仕切りシート
１２：再剥離糊層
１３：剥離シート 
【図１】
0003216695.tif 000003
【図２】
0003216695.tif 000004
【図３】
0003216695.tif 000005
【図４】
0003216695.tif 000006
【図５】
0003216695.tif 000007